(57)【要約】      （修正有）【課題】片手でも使用できるようなバックルを提供する。【解決手段】雄部材（３）は、前部に係合突起（３１）とガイド用突起（３２）を有し、後部に前部を支持する基部（３３）を有し、前記係合突起は膨出部（３１２）と脚部（３１５）を有する。雌部材（２）は、箱状部と、この箱状部と接続され、これを支持する基部（２１）を有する。箱状部は、先端に雄部材と嵌り合う挿入用先端開口（２２）を有し、側部に側壁（２３）とロック用開口（２４）を各一対有し、さらに上面（２５）及び下面（２６）を有する。前記雌部材の前記上面が、前記雄部材の前記ガイド用突起が縦方向に挿入される位置において、第１スリット（２５１）を有し、前記雄部材の前記脚部が縦方向に挿入される位置において、第２スリット（２５５）を有する。【選択図】図１
2019136299.tif 000002
【特許請求の範囲】
【請求項１】
雌部材（２，２Ａ）とそれに対して着脱可能な雄部材（３，３Ａ）の２部品からなるバックル（１，１Ａ，１Ｂ）であって、
前記雄部材（３）は、前部に係合突起（３１）とガイド用突起（３２）を有し、後部に前記前部を支持する基部（３３）を有し、
前記係合突起（３１）は膨出部（３１２）と脚部（３１５）を有し、
前記雌部材（２）は、箱状部（２０）と、この箱状部（２０）と接続され、これを支持する基部（２１）を有し、
前記箱状部（２０）は、先端に前記雄部材（３）と嵌り合う挿入用先端開口（２２）を有し、側部に側壁（２３）とロック用開口（２４）を各一対有し、さらに上面（２５）及び下面（２６）を有するものにおいて、
前記雌部材（２）の前記上面（２５）及び前記下面（２６）のいずれかが、
前記雄部材（３）の前記ガイド用突起（３２）が縦方向に挿入される位置において、第１スリット（２５１，２５１Ａ，２５１Ｂ）を有し、
前記雄部材（３）の前記脚部（３１５）が縦方向に挿入される位置において、第２スリット（２５５，２５５Ａ，２５５Ｂ）を有する
ことを特徴とするバックル（１，１Ａ，１Ｂ）。
【請求項２】
前記切第１スリット（２５１Ａ）の後端側上面（２５２Ａ）の先端が前記雄部材（３）の通路側へ向かって突出部（２５３Ａ）を形成するとともに、前記ガイド用突起（３２Ａ）の先端（３２３Ａ）に小突起（３２４Ａ）が形成されており、
前記突出部（２５３Ａ）と前記小突起（３２４Ａ）が係合可能である、請求項１記載のバックル（１Ａ）。
【請求項３】
前記雄部材（３Ｂ）の前記ガイド用突起（３２Ｂ）の最先端部分（３２５Ｂ）の横幅はそれ以外の部分の前記ガイド用突起（３２Ｂ）の横幅より長く、前記雌部材の前記第１スリット（２５１Ｂ）の最先端部分（２５１１Ｂ）の横幅はそれ以外の部分の前記第１スリット（２５１Ｂ）の横幅より長い、請求項１記載のバックル（１Ｂ）。
【発明の詳細な説明】
【技術分野】
【０００１】
本発明は、かばん、衣服、靴、安全ベルト、シートベルト、アクセサリー等において、分離可能な２つのバンドや紐を連結・分離するのに使用するバックルに関する。
【背景技術】
【０００２】
上記したようなバックルは我々の日常生活において広く使用されている。特に最近よく使用されているのは、箱状の雌部材に対して、カニの爪のような突起部を有する雄部材を差し込んで連結したり、そこから引き抜いて分離したりするタイプである。たとえば、本出願人の出願に係る下記のような発明がそれに該当する。
【先行技術文献】
【特許文献】
【０００３】
【特許文献１】特開２０００−７９００５
【特許文献２】特開２００１−３４６６１２（特許第３７９００９４号）
【特許文献３】ＷＯ２０１１／１１５２６７（特許第５７６３０５０号）
【発明の開示】
【発明が解決しようとする課題】
【０００４】
上記タイプのバックルは、片手に雌部材を、残りの手で雄部材を持ち、両者を連結・分離する。普通はそれで問題はないが、片手をなくしたり、負傷したりした人や、健常な人でも片手がふさがっていて使用できないときには、残ったもう一方の手だけで操作できれば好都合である。
【０００５】
本発明は片手でも使用できるようなバックルを提供することを目的とする。
【課題を解決するための手段】
【０００６】
本発明は、雌部材２，２Ａとそれに対して着脱可能な雄部材３，３Ａの２部品からなるバックル１，１Ａ，１Ｂであって、前記雄部材３は、前部に係合突起３１とガイド用突起３２を有し、後部に前記前部を支持する基部３３を有し、前記係合突起３１は膨出部３１２と脚部３１５を有し、前記雌部材２は、箱状部２０と、この箱状部２０と接続され、これを支持する基部２１を有し、前記箱状部２０は、先端に前記雄部材３と嵌り合う挿入用先端開口２２を有し、側部に側壁２３とロック用開口２４を各一対有し、さらに上面２５及び下面２６を有するものにおいて、前記雌部材２の前記上面２５及び前記下面２６のいずれかが、前記雄部材３の前記ガイド用突起３２が縦方向に挿入される位置において、第１スリット２５１，２５１Ａ，２５１Ｂを有し、前記雄部材３の前記脚部３１５が縦方向に挿入される位置において、第２スリット２５５，２５５Ａ，２５５Ｂを有することを特徴とする（請求項１）。
【０００７】
本発明の別の態様によれば、前記切第１スリット２５１Ａの後端側上面２５２Ａの先端が通路側へ向かって突出部２５３Ａを形成するとともに、前記ガイド用突起３２Ａの先端３２３Ａに小突起３２４Ａが形成されており、前記突出部２５３Ａと前記小突起３２４Ａが係合可能である（請求項２）。
【０００８】
本発明のさらに別の態様によれば、前記雄部材３Ｂの前記ガイド用突起３２Ｂの最先端部分３２５Ｂの横幅はそれ以外の部分の前記ガイド用突起３２Ｂの横幅より長く、前記雌部材の前記第１スリット２５１Ｂの最先端部分２５１１Ｂの横幅はそれ以外の部分の前記第１スリット２５１Ｂの横幅より長い（請求項３）。
【発明の効果】
【０００９】
請求項１の発明によれば、雄部材３は、雌部材２の先端開口２２に横方向から差し込むことができるだけでなく、第１スリット２５１及び第２スリットに対し上から縦方向に差し込むことができるようになる。換言すると、雄部材３を雌部材２に結合させる方法として、横方向からと縦方向から差し込む２つの方法が選択可能となる。
【００１０】
請求項２の発明によれば、いったんガイド用突起３２Ａの先端３２３Ａを第１スリット２５１Ａに挿入し、突出部２５３Ａと小突起３２４Ａをかみ合わせたのち、そこを支点として雄部材３Ａ後端側を下方に押し下げることにより、雄部材３Ａ全体を雌部材２に挿入することができる。すなわち、最初に雄部材３Ａの先端を固定し、後端側を下方に押し下げるだけで雌雄部材が結合されるので、結合が容易になる。
【００１１】
請求項３の発明によれば、雄部材３Ｂの係合突起３１Ｂが雌部材２Ｂのロック用開口２４Ｂにおいて固定されるだけでなく、雄部材３Ｂのガイド用突起３２Ｂも雌部材２Ｂの第１スリットの先端部分において固定されるため、雌雄部材の連結がきわめて強固なものとなる。
【図面の簡単な説明】
【００１２】
【図１】実施例１に係るバックルの斜視図である。
【図２】同実施例の雄部材の（ａ）正面図、（ｂ）左側面図、（ｃ）下面図、（ｄ）右側面図、（ｅ）上面図、（ｆ）横断面図である。
【図３】同実施例の雌部材の（ａ）正面図、（ｂ）左側面図、（ｃ）下面図、（ｄ）右側面図、（ｅ）上面図、（ｆ）横断面図である。
【図４】（ａ）（ｂ）は同実施例の雌雄部材の係合方法を示す横断面図であり、（ｃ）は合体状態の正面図である。
【図５】（ａ）（ｂ）（ｃ）は実施例２の雌雄部材の係合方法を示す横断面図であり、（ｄ）は合体状態の下面図である。
【図６】同実施例の雌部材の（ａ）下面図、（ｂ）横断面図である。
【図７】同実施例の雌部材の（ａ）左側面図、（ｂ）正面図、（ｃ）正面図、（ｄ）横断面図である。
【図８】実施例３の雄部材の（ａ）正面図、（ｂ）中央横断面図である。
【図９】同実施例の雌部材の（ａ）正面図、（ｂ）側面図、（ｃ）中央横断面図である。
【図１０】（ａ）（ｂ）は同実施例の雌雄部材の係合方法を示す横断面図であり、（ｃ）は合体状態の正面図である。
【発明を実施するための形態】
【００１３】
以下、添付の図面に基づき、本発明の実施例を説明する。
【実施例１】
【００１４】
図１に示すように、このバックル１は雌部材２とそれに対して着脱可能な雄部材３の２部品からなる。両者はそれぞれ全体が合成樹脂により成型されている。
【００１５】
＜雄部材３＞
雄部材３は、前部にカニの爪のような２本の係合突起３１と１本のガイド用突起３２を有し、後部に前部を支持する長方形状の基部３３を有する。
【００１６】
各係合突起３１の先端には先細りとなった先端部３１１と、横方向に張り出している膨出部３１２が形成されている。先端部３１１及び膨出部３１２の内側には水平部３１３が形成され、膨出部３１２の後端には段部３１４が形成されている。段部３１４の背後は細幅の脚部３１５となって基部３３につながっている。
【００１７】
中央のガイド用突起３２には、図２に示すように、上下から矩形の浅いくぼみ３２１，３２２が設けられている。これは装飾及び補強のためのものである。
【００１８】
基部３３にはストラップ（図示せず）と接続するための接続部３４が設けられている。接続部３４には、図２（ｆ）に示すように、ストラップを固定するための固定棒３４１，３４２が設けられている。
【００１９】
＜雌部材２＞
雌部材２は、前部の平たい箱状部２０と、この箱状部２０と接続され、これを支持する長方形状の基部２１を有する。
【００２０】
箱状部２０は、先端に雄部材３と嵌り合う挿入用先端開口２２を有し、側部に側壁２３とロック用開口２４を各一対有し、さらに上面２５及び下面２６を有する。ここで、「上面」と「下面」という用語は便宜上のもので、一方が上なら他方が下という相対的なものである。
【００２１】
本発明にとって特徴的なのは、雄部材３のガイド用突起３２が縦方向に挿入される位置において、雌部材２の上面２５が第１スリット２５１を有すると共に、雄部材３の脚部３１５が縦方向に挿入される位置において雌部材２の上面２５が第２スリット２５５を有することである。
【００２２】
このような構成とすることにより、雄部材３は、雌部材２の先端開口２２に横方向から差し込むことができるだけでなく、これらの第１スリット２５１、第２スリット２５５、ロック用開口２４に対し上から縦方向に差し込むことができるようになる。換言すると、雄部材３を雌部材２に結合させる方法として、横方向からと縦方向から差し込む２つの方法が選択可能となる。
【００２３】
基部２１にはストラップ（図示せず）と接続するための接続部２１１が設けられている。
【００２４】
＜雌雄部材２，３の連結・分離＞
雄部材３を雌部材２の先端開口２２に差し込んで横方向から雌雄部材２，３を結合したとき、係合突起３１の先端部３１１が進入することにより、膨出部３１２が側壁２３によって内方へ押されて変形する。膨出部３１２がロック用開口２４と係合したとき、内方へ押されていた膨出部３１２が復元し、ロック用開口２４から露出するとともに、段部３１４が側壁２３で止められるため、両者の結合が確かなものとなる。
【００２５】
雌雄部材の結合を解除するには、いったん雌部材のロック用開口２４から露出している雄部材の膨出部３１２を指で内方へ押して、係合突起３１のバネ作用を抑制してから両者を引き離すことになる。
【００２６】
雄部材３を雌部材２の上面第１スリット２５１、第２スリット２５５、ロック用開口２４に押し込んで縦方向から雌雄部材を結合させるとき、ガイド用突起３２は第１スリット２５１にそのまま入る。係合突起３１の脚部３１５は、側壁２３を押し広げながら沈下し（このとき反動で膨出部３１２はやや外側に開く）、第２スリットに入る。結合が完成したとき、図4に示すように、係合突起３１の膨出部３１２が雌部材のロック用開口２４と係合し、段部３１４が側壁２３で止められるため両者の結合が確かなものとなる。
【００２７】
雌雄部材の結合を解除するには、結合時と異なり、縦方向から雄部材３を縦方向に取り出すことは、指が雄部材３にかからないため、また、指で側壁２３を押し広げることはできないため、極めて困難である。したがって、従来のバックルと同様に、いったん雌部材のロック用開口２４から露出している雄部材の膨出部３１２を指で内方へ押して、係合突起３１のバネ作用を抑制してから両者を引き離すことになる。
【実施例２】
【００２８】
図５〜７は実施例２のバックル１Ａを表している。
【００２９】
実施例2は全体的に実施例１と似ているので、実施例２において、実施例1と同じ部品には同じ符号に「Ａ」の文字を付してその説明を省略する。両者が異なるのは次の点である。
【００３０】
（Ａ）図5に示すように、実施例２の第１スリット２５１Ａの長さは実施例１の第１スリット２５１の長さよりも短い。すなわち、実施例２の第１スリット２５１Ａの後端側上面２５２Ａの長さが長い。さらに、後端側の上面２５２Ａの先端が内方へ向かい、少し角が取れた突出部２５３Ａを形成している。
（Ｂ）図5に示すように、ガイド用突起３２Ａの先端３２３Ａに小突起３２４Ａが形成されている。
【００３１】
この実施例２では、実施例１のように雄部材３を水平状態に保ったまま雌部材２に縦方向に挿入するのではなく、図５に示すように、雄部材３Ａを傾け、いったんガイド用突起３２Ａの先端３２３Ａを第１スリット２５１Ａに挿入し（図５（ａ））、突出部２５３Ａと小突起３２４Ａをかみ合わせたのち、そこを支点として雄部材３Ａ後端側を下方に押し下げることにより（図５（ｂ））、雄部材３Ａ全体を雌部材２に挿入する（図５（ｃ））。
【００３２】
すなわち、最初に雄部材３Ａの先端を固定し、後端側を下方に押し下げるだけで雌雄部材が結合されるので、結合が容易になる。
【実施例３】
【００３３】
図８〜１０は実施例３のバックル１Ｂを表している。
【００３４】
実施例３は全体的に実施例１と似ているので、実施例３において、実施例1と同じ部品には同じ符号に「Ｂ」の文字を付してその説明を省略する。両者が異なるのは次の点である。
【００３５】
（Ａ）図８に示すように、雄部３Ｂ材のガイド用突起３２Ｂの先端幅が末広がりに拡大しており、最先端部分３２５Ｂは長手方向に対して垂直であり、その横幅はそれ以外の部分の横幅よりわずかに長い。
（Ｂ）図９に示すように、雌部材の第１スリット２５１Ｂの長さが実施例１のものよりも短く、最先端部分２５１１Ｂは長手方向に対して垂直であり、その横幅はそれ以外の部分の横幅よりわずかに長い。
【００３６】
この実施例３では、主として縦方向から雌雄部材を結合させ、離脱させるときは横方向とする。すなわち、雄部材３Ｂを雌部材２Ｂの上面第１スリット２５１Ｂ、第２スリット２５５Ｂ、ロック用開口２４Ｂに押し込んで縦方向から雌雄部材を結合させる。ガイド用突起３２Ｂは第１スリット２５１Ｂにそのまま入り、脚部３１５Ｂが側壁２３Ｂを押し広げながら、第２スリット２５５Ｂに入る。
【００３７】
その際、ガイド用突起３２Ｂの最先端部分３２５Ｂと第１スリット２５１Ｂの最先端部分２５１１Ｂの形状がほぼ一致する（図１０（ｃ）参照）ので挿入時の位置が安定し、最先端部分３２５Ｂを支点として、正確な位置に嵌入しやすいものとなる。また、この実施例３では、係合突起３１Ｂの膨出部３１２だけでなく、ガイド用突起３２Ｂの最先端部分２５１１Ｂにおいても固定されるため、雌雄部材の連結がきわめて強固なものとなる。
【００３８】
なお、この実施例３においても、雄部材３Ｂを雌部材２Ｂの先端開口２２Ｂに差し込んで横方向から雌雄部材２Ｂ，３Ｂを結合することは、ガイド用突起３２Ｂの最先端部分３２５Ｂの幅次第では可能である。その場合、特に挿入開始時にやや困難を伴うが、結合を解くときには膨出部３１２Ｂを左右方向から押圧して引き抜くだけであるから簡単である。
【符号の説明】
【００３９】
１，１Ａ，１Ｂ  バックル
２，２Ａ，２Ｂ  雌部材
２０   箱状部
２１   基部
２１１ 接続部
２２   先端開口
２３   側壁
２４   ロック用開口
２５   上面
２５１，２５１Ａ，２５１Ｂ  第１スリット
２５１１Ｂ  最先端部分
２５２Ａ      後端側上面
２５３Ａ      突出部
２５５  第２スリット
２６   下面
３，３Ａ，３Ｂ雄部材
３１   係合突起
３１１ 先端部
３１２ 膨出部
３１３ 水平部
３１４ 段部
３１５  脚部
３２，３２Ａ，３２Ｂ ガイド用突起
３２３Ａ      先端
３２４Ａ      小突起
３２５Ｂ      最先端部分
３３   基部
３４   接続部
３４１，３４２固定棒
【図１】
2019136299.tif 000003
【図２】
2019136299.tif 000004
【図３】
2019136299.tif 000005
【図４】
2019136299.tif 000006
【図５】
2019136299.tif 000007
【図６】
2019136299.tif 000008
【図７】
2019136299.tif 000009
【図８】
2019136299.tif 000010
【図９】
2019136299.tif 000011
【図１０】
2019136299.tif 000012